(57)【要約】【課題】視聴者の視聴履歴に基づいて所定の条件で絞り込んだ情報に順列を与え、視聴者に提供するコンテンツ情報処理装置、コンテンツ情報処理方法及び電子機器を提供する。【解決手段】実施形態のコンテンツ情報処理方法は、コンテンツのジャンルと視聴履歴とに基づき、ジャンル相互の第１の方向のコンテンツの表示順を特定し、同一ジャンル内のコンテンツの視聴履歴に基づき、第１の方向と交差する第２の方向において、同一ジャンル内のコンテンツ相互の表示順を特定し、第１および第２の表示順に基づく２次元の画面表示が可能な表示信号を生成する。【選択図】図２５
2017004229.tif 000002
【特許請求の範囲】
【請求項１】
コンテンツのジャンルと視聴履歴とに基づき、ジャンル相互の第１の方向のコンテンツの表示順を特定し、
同一ジャンル内のコンテンツの視聴履歴に基づき、第１の方向と交差する第２の方向において、同一ジャンル内のコンテンツ相互の表示順を特定し、
第１および第２の表示順に基づく２次元の画面表示が可能な表示信号を生成する
コンテンツ情報処理方法。
【請求項２】
視聴履歴に基づいて、２次元の画面表示が表示するコンテンツを規定する請求項１のコンテンツ情報処理方法。
【請求項３】
第１の方向の表示順は、ジャンル相互の嗜好性に基づいて規定する請求項１または２のコンテンツ情報処理方法。
【請求項４】
嗜好性は、個々のジャンルにおいて視聴したコンテンツの数に基づいて規定する請求項１−３のいずれかのコンテンツ情報処理方法。
【請求項５】
第１および第２の表示順は、所定のタイミングで変更される請求項１−４のいずれかのコンテンツ情報処理方法。
【請求項６】
コンテンツのジャンルと視聴履歴とに基づき、ジャンル相互の第１の方向の表示順を特定し、
同一ジャンル内のコンテンツの視聴履歴に基づき、前記第１の方向と交差する第２の方向において、前記同一ジャンル内のコンテンツ相互の表示順を特定し、
前記第１および前記第２の表示順に基づく２次元の画面表示が可能な表示信号を生成する
コンテンツ情報処理装置。
【請求項７】
前記視聴履歴に基づいて、前記２次元の画面表示が表示するコンテンツを規定する請求項６のコンテンツ情報処理装置。
【請求項８】
前記第１の方向の表示順は、ジャンル相互の嗜好性に基づいて規定する請求項６または７のコンテンツ情報処理装置。
【請求項９】
嗜好性は、個々のジャンルにおいて視聴したコンテンツの数に基づいて規定する請求項６−８のいずれかのコンテンツ情報処理装置。
【請求項１０】
前記第１および前記第２の表示順は、所定のタイミングで変更される請求項６−９のいずれかのコンテンツ情報処理装置。
【請求項１１】
録画したコンテンツのジャンルと視聴履歴とに基づき、ジャンル相互の第１の方向の表示順を特定し、同一ジャンル内のコンテンツの視聴履歴に基づき、前記第１の方向と交差する第２の方向において、前記同一ジャンル内のコンテンツ相互の表示順を特定し、前記第１および前記第２の表示順に基づく２次元の画面表示が可能な表示信号を生成する信号処理部と、
前記信号処理部が出力する前記表示信号に対応する２次元配列のコンテンツ表示を表示する表示部と、
を具備する電子機器。
【請求項１２】
前記視聴履歴に基づいて、前記２次元の画面表示が表示するコンテンツを規定する請求項１１の電子機器。
【請求項１３】
前記第１の方向の表示順は、ジャンル相互の嗜好性に基づいて規定する請求項１１または１２の電子機器。
【請求項１４】
嗜好性は、個々のジャンルにおいて視聴したコンテンツの数に基づいて規定する請求項１１−１３のいずれかの電子機器。
【請求項１５】
前記第１および前記第２の表示順は、所定のタイミングで変更される請求項１１−１４のいずれかの電子機器。
【発明の詳細な説明】
【技術分野】
【０００１】
この発明は、コンテンツ情報処理装置、コンテンツ情報処理方法及び電子機器に関する。
【背景技術】
【０００２】
コンテンツ情報処理装置、例えばテレビジョン装置は、今日、インターネット（ネットワーク）上のさまざまなサイトの閲覧が可能である。視聴者（消費者）は、テレビジョン装置を通じて、さまざまな番組の出演者の情報や、番組に関連する商品（コンテンツ）の購入、サービスの申し込み及びその利用が可能である。また、視聴者（消費者）は、出演者を中心とした関連番組や出演者のスケジュール、等の情報の取得も可能である。視聴者（消費者）はまた、番組の視聴履歴や録画予約の情報に基づいてテレビジョン装置が提示する番組を視聴するのみで、自身の希望する主要な番組を、くまなく視聴できる。
【先行技術文献】
【特許文献】
【０００３】
【特許文献１】特開２００２−３２３９６号公報
【発明の概要】
【発明が解決しようとする課題】
【０００４】
しかしながら、提示される情報が多くなると、視聴者は、視聴すべき番組を探すことを要求される。特に、提示される情報が一定の条件で絞りこまれた情報である場合、視聴対象から除外すべきではない番組が多くなるため、視聴の優先度を考慮することが必要となる。
【０００５】
この発明の目的は、視聴者の視聴履歴に基づいて所定の条件で絞り込んだ情報に順列を与え、視聴者に提供するコンテンツ情報処理装置、コンテンツ情報処理方法及び電子機器を提供することである。
【課題を解決するための手段】
【０００６】
実施形態のコンテンツ情報処理方法は、コンテンツのジャンルと視聴履歴とに基づき、ジャンル相互の第１の方向のコンテンツの表示順を特定し、同一ジャンル内のコンテンツの視聴履歴に基づき、第１の方向と交差する第２の方向において、同一ジャンル内のコンテンツ相互の表示順を特定し、第１および第２の表示順に基づく２次元の画面表示が可能な表示信号を生成する。
【図面の簡単な説明】
【０００７】
【図１】大量のコンテンツ媒体の中から所望のコンテンツ媒体に遭遇する人の各種のタイプの一例を説明するために示した説明図である。
【図２】一実施形態が適用された情報処理システムの構成を示す図である。
【図３】図２のテレビジョン装置の構成例を示す図である。
【図４Ａ】図３のテレビジョン装置がサーバへ情報をアップロードするときの動作例を示すフローチャートである。
【図４Ｂ】図３のテレビジョン装置がサーバへ情報をアップロードするときの動作例を示すフローチャートである。
【図５】図２のサーバの制御ブロックの構成例を示す図である。
【図６Ａ】サーバ４００１に構築されているデータファイルの一例であり、番組に基本データが存在することを示す図である。
【図６Ｂ】サーバ４００１に構築されているデータファイルの一例であり、番組とこの番組を視聴した視聴者との関係を示す図である。
【図６Ｃ】サービスサーバ４００１に構築されているデータファイルの一例であり、視聴者とこの視聴者が視聴した番組との関係を示す図である。
【図６Ｄ】サーバ４００１に構築されているデータファイルの一例であり、サービスサーバが視聴者と通信を行う際に利用する視聴者（関連ターゲットと称してもよい）アドレスの例を示す図である。
【図６Ｅ】サーバ４００１に構築されているデータファイルの一例であり、番組の基本データを具体的に示す図である。
【図７】サーバ４００１において、番組と視聴者との関連付け、及び視聴者と視聴者との関連付けを行う際の一例を説明するために示した図である。
【図８】サーバ４００１において、番組と番組との関連付けを行う際の一例を説明するために示した図である。
【図９】図５に示したデータファイル４００２と制御部４０１との関連動作の一例を説明するために示したブロック図である。
【図１０Ａ】図９のサーバ４００１において、実行される囲い込み処理の動作例を示すフローチャートである。
【図１０Ｂ】図９のサーバ４００１において、実行される囲い込み拡張処理の動作例を示すフローチャートである。
【図１１Ａ】ファンクラブ（パックと称してもよい）の構築方法の一例を示す図である。
【図１１Ｂ】ファンクラブ（パックと称してもよい）の構築方法の他の例であり、ファンクラブにユーザＵ０１が入会しない例を示す図である。
【図１２】シリーズのドラマの番組を視聴したユーザＵ１−Ｕ４の各種視聴タイプを示す説明図である。
【図１３】番組視聴者を当該番組のファンクラブに登録する際の判定例を示すフローチャートである。
【図１４】番組視聴者を当該番組のファンクラブに登録する際の判定例を示すもので、ファン離脱抑制の例を示すフローチャートである。
【図１５】番組視聴者を当該番組のファンクラブに登録する際の判定例を示すもので、ファン離脱抑制の他の例を示すフローチャートである。
【図１６】番組視聴者を当該番組のファンクラブに登録する際の判定例を示すもので、ファン離脱抑制のさらに他の例を示すフローチャートである。
【図１７】コンテンツＹ１のファンクラブのメンバー（ユーザ、顧客あるいは関連ターゲットと称してもよい）に、コンテンツＹ１に関連する媒体情報と付随情報を通知するシステムの一例を示す説明図である。
【図１８】コンテンツＹ１のファンクラブのメンバー（ユーザ、顧客あるいは関連ターゲットと称してもよい）に、コンテンツＹ１に関連する媒体情報と付随情報を通知するシステムの他の例を示す説明図である。
【図１９Ａ】テレビジョン装置１００１のメニュー画面にファンクラブボタンが表示された例を示す図である。
【図１９Ｂ】パーソナルコンピュータ、又はタブレット、又はスマートフォンのメニュー画面にファンクラブボタンが表示された例を示す図である。
【図１９Ｃ】ファンクラブボタンが操作されたことにより、ユーザに対してファンクラブへの入会を誘うお誘い画面が表示された例を示す図である。
【図１９Ｄ】ユーザがファンクラブに登録されたことを示す画面の例を示す図である。
【図１９Ｅ】ユーザに対して、コンテンツ（ドラマＹ）に関する関連情報が提供されることを示す画面の例を示す図である。
【図２０Ａ】ユーザがファンクラブ入会後、テレビジョン装置の電源をオンしたとき、ファンクラブニュースが届いていることを示唆するファンクラブボタンの様子を示す図である。
【図２０Ｂ】ユーザがファンクラブ入会後、パーソナルコンピュータ、又はタブレット、又はスマートフォンの電源をオンしたとき、ファンクラブニュースが届いていることを示唆するファンクラブボタンの様子を示す図である。
【図２０Ｃ】ユーザがファンクラブ入会後、テレビジョン装置の電源をオンしたとき、レジューム画面が表示された例を示す図である。
【図２１】図２０Ａ，図２０Ｂに示したファンクラブボタンがユーザによりクリックされ、次のメッセージ画面が表示されたときの各種のメッセージ例を示す図である。
【図２２】実施形態においてユーザが所属するファンクラブを確認する際、所属クラブ確認ボタンがユーザによりクリックされ、次のメッセージ画面が表示されたときの各種のメッセージ例を示す図である。
【図２３】複数の異なるファンクラブから、共通項を検出して、新たなファンクラブを生成（連鎖的拡張）する例を示す図である。
【図２４】各種のコンテンツ媒体の提供元及び又は付随情報に基づいて、多数の業界（事業体）の情報（コンテンツ情報）を関連つけることができる方法を示す説明図である。
【図２５】図３のテレビジョン装置の表示配列制御部の構成例を示す図である。
【図２６】実施形態に係るテレビジョン装置の所定の（TimeOn／ホーム）画面表示の表示の一例を示す図である。
【図２７】実施形態に係るテレビジョン装置の所定の（TimeOn／ホーム）画面表示が表示するシリーズの一つを選択した後の画面の遷移の一例を示す図である。
【図２８】実施形態に係るテレビジョン装置の所定の（TimeOn）画面表示が表示する「お勧め番組を提示する」画面表示の一例を示す図である。
【図２９】実施形態に係るテレビジョン装置の所定の（TimeOn）画面表示が表示する「みるコレ」画面表示の一例を示す図である。
【図３０Ａ】実施形態に係るテレビジョン装置の所定の（TimeOn）画面表示から「パック」画面表示を選択した場合の画面の遷移の一例を示す図である。
【図３０Ｂ】実施形態に係るテレビジョン装置の所定の（TimeOn）画面表示から「パック表示」画面を選択した場合の画面の遷移の一例を示す図である。
【発明を実施するための形態】
【０００８】
以下、実施の形態について図面を参照して説明する。
【０００９】
過去から現在に至るまでの映画、ドラマ、ニュース、書籍、などのコンテンツは、大量である。デジタル技術の進歩により、大量のコンテンツは、それぞれコンパクトディスク（ＣＤ）、デジタルバーサタイルディスク（ＤＶＤ）、ブルーレイディスク（ＢＤ）あるいは半導体メモリなどの、いわゆるコンテンツ媒体にパッケージソフト化されている。また、これからも多くのコンテンツが製作されることは明らかである。
【００１０】
なお、本実施形態では、コンテンツ媒体は、放送番組、配信番組、紙媒体（小説、本、雑誌、漫画、新聞、チラシなど）、映画、コンサート、イベント、劇場、各種会場なども含むものとする。
【００１１】
例えば、小説、漫画、記事、映画及びニュースなどのコンテンツ作品の販売スタイルは、一般書店、映画館、放送番組及び光ディスクなどの記憶メディアによる販売スタイルがある。また、コンテンツ作品の広告スタイルは、新聞掲載による広告、一般的なチラシによる広告、店頭における広告、放送番組の途中での広告（いわゆるコマーシャル）などがある。また広告スタイルとしては、テレビジョン放送を介して作品を専門的に行うテレビ番組もある。さらにまた、複数の地域の街中、会場などに例えば芸能人が出かけて、特定地域の居住者に、コンテンツ作品の広告を行う広告スタイルもある。
【００１２】
上記したコンテンツ作品の広告が行われたとしても、必ずしも消費者が所望のコンテンツ作品をキャッチしているとは限らない。コンテンツ作品の広告活動のためには、大きな費用が必要である。このために、広告主は、できるだけ少ない費用で効果的な広告ができることを希望している。
【００１３】
上記したように最近では大量のコンテンツ媒体が存在し、また今後も多数のコンテンツ媒体が出現する。このために、コンテンツを見たり、聞いたり、読んだりする複数の消費者は、所望のコンテンツに遭遇することが困難になりつつある。すなわち、消費者は、検索方法に精通することを求められる。
【００１４】
図１は、大量のコンテンツ媒体の中から所望のコンテンツ媒体に遭遇する人の各種のタイプの一例を示している。ブロックＢＢ内に、超大量のコンテンツ媒体の種類を示している。コンテンツ媒体としては、電波で放送される放送番組、ネットで配信される配信番組、紙媒体、デジタル媒体のものがある。紙媒体としては、本、小説、雑誌、漫画、新聞、チラシなどがある。デジタル媒体としては、ＣＤ、ＤＶＤ、ＢＤ、メモリなどがある。さらにまた映画館でみる映画、コンサート、イベント、劇場などにおける行動もコンテンツとしてとらえられるので、これら映画館、コンサート会場、イベント会場、劇場、その他各種会場もコンテンツ媒体としてとらえてよい。
【００１５】
消費者は、上記の大量のコンテンツ媒体の中から所望のコンテンツ媒体を探し求めることになる。所望のコンテンツ媒体に遭遇する人の各種のタイプを、ブロックＡＡ、ＡＢ、ＡＣ、ＡＤ、ＡＥ、ＡＦに示している。
【００１６】
ブロックＡＡに属する人は、インターネット、店頭などで所望のコンテンツ媒体に関する最新情報を常にチェックする人である。ブロックＡＢに属する人は、コンテンツに興味はあるが、所望のコンテンツ媒体に関する最新情報を収集する時間がない人、及びコンテンツ作品が多すぎて調査する気が起きない人である。ブロックＡＣに属する人は、コンテンツ媒体を大量に購入できる財力を持つ人、多くのコンテンツ媒体に興味を持つ人、コンテンツ媒体を大量に仕入れて販売商品として取り扱いたい人である。
【００１７】
ブロックＡＤに属する人は、コンテンツ媒体に対して、特に嗜好性を持って関与しない人である。
【００１８】
ブロックＡＥに属する人は、所望のコンテンツ媒体の存在を友達から口コミで知った人、たまたま、ラジオ、テレビ、新聞、広告などで所望のコンテンツ媒体の存在を知った人である。ブロックＡＦに属する人は、所望のコンテンツ媒体に関して、視聴することや購入することに強い意欲のある人、そして視聴すること、購入することに失敗したくない気持ちを持つ人である。しかし、所望のコンテンツ媒体を探す手立てがないために、所望のコンテンツ媒体を購入することが遅れている人である。
【００１９】
上記したように、最近の消費者は、大量のコンテンツ媒体の中から所望のコンテンツ媒体（ターゲット媒体）を探すためには、困難を伴っているのが現状である。なお、なお説明では、消費者（Consumers）という用語を代表して用いているが、実施形態における消費者は、カスタマー（Customer）、クライアント（Client）、ビジター（Visitor）、或いはユーザ（User）を含み、さらに人（人間）によって操作される電子機器（テレビジョン放送受信再生、携帯端末、スマートフォン、タブレット、パーソナルコンピュータなど）を含むものとする。また、消費者は、上位の概念として、コンテンツに関連した関連ターゲットと称してもよい。
【００２０】
図２は、一実施形態が適用された情報処理システムの構成を示す図である。ユーザ端末グループ１０００Ａは、電子機器、例えばデジタルテレビジョン放送受信再生装置（以下テレビジョン装置と記す）１００１、リモートコントローラ１００２、パーソナルコンピュータ１００３、スマートフォン１００４、タブレット１００５等の電子機器を含む。他のユーザ端末グループ１０００Ｂ、１０００Ｃ、１０００Ｄ、・・・も同様な電子機器を含む。テレビジョン装置１００１は、リモートコントローラ１００２により操作されることができる。またテレビジョン装置１００１は、スマートフォン１００４により、無線で操作されることも可能である。
【００２１】
パーソナルコンピュータ１００３は、無線あるいは有線により、ネットワーク３０００を介してサーバ４００１に接続されることができる。スマートフォン１００４、タブレット１００５は、無線によりネットワーク３０００を介してサーバ４００１に接続されることができる。また、テレビジョン装置１００１は、ネットワーク３０００を介してサーバ４００１に接続されることができる（ネットＴＶと称されることもある）。さらに、放送設備２０００に含まれる放送局２００１も、ネットワーク３０００を介してサーバ４００１に接続されることができる。
【００２２】
さらにコンテンツ媒体の提供元５０００も、ネットワーク３０００を介してサーバ４００１に接続されることができる。コンテンツ媒体の提供元５０００は、種々の提供元５０００Ａ、５０００Ｂ、５０００Ｃ、・・・を含み、出版社、放送局、コンサート、各種イベントなどの企画会社、劇場、映画会社、各種会場などを含む。つまり異なる事業体、異なる分野の会社などを含む。コンテンツ媒体提供元５０００は、コンテンツ媒体を販売する前、あるいは販売中にネットワーク３０００を介してサーバ４００１に広告・宣伝を依頼することができる。コンテンツ媒体の情報は、例えば関連コンテンツの名称、販売開始日、販売期間、販売店、値段など販売に必要な情報を含む。またコンテンツ媒体の情報は、コンテンツのジャンルなどを含んでもよい。
【００２３】
さらに付随情報出力部６０００は、付随情報（交通案内・優待情報・ポイント特典情報）を管理するサーバあるいは業界あるいは事業体である。この付随情報出力部６０００は、ネットワーク３０００を介して、サーバ４００１に接続されることができる。付随情報は、制御装置４００３において、店の交通案内、電車、バス、飛行機などによる系路案内情報として利用される。また、付随情報には、宿泊施設（ホテルなど）の案内情報も含まれる。なお、付随情報は、それぞれの情報において代替え可能な情報、例えば交通機関であれば、並行する鉄道やバスの路線名や近接駅（バス停）の情報、販売店であれば、系列の他店の情報や、同一商品を取り扱う他系列の店の情報を含む。
【００２４】
図３は、テレビジョン装置１００１の全体構成の一例を示している。テレビジョン装置１００１に代わって、データ記録再生装置であってもよい。チューナ装置１０２は、デジタルチューナ装置であり、複数のチューナが内蔵されており、同時に複数のチャンネルを受信し、複数の放送番組を復調することができる。チューナ装置１０２は、入力端子を介してアンテナで受けられた高周波信号が入力される。チューナ装置１０２は、例えばＢＳ（（Broadcasting Satellite，放送衛星による））／ＣＳ（ＣＳ（Communication Satellite，通信衛星を用いて中継された））のそれぞれのデジタル放送受信用のチューナであってもよい。図示していないが、外部入力端子が設けられ、ケーブルあるいはネットワークあるいは他の機器からの信号が入力してもよい。
【００２５】
チューナ装置１０２で受信された放送番組の信号及び外部入力端子からの信号は、ＴＳ処理部１２２に入力される。複数のチャンネル（ＣＨ）のＴＳ（Transport Stream）が１つのＴＳに再多重される。複数のＴＳが多重された多重化されたＴＳは、各チャンネルの放送番組のパケット列を含む。各チャンネルのパケットには、チャンネル及びパケット識別用の識別情報が付加されている。多重化されたＴＳは、制御部２００の記録再生制御部２０３の制御に基づいて、記憶装置１１１に入力される。またＴＳ処理部１２２に入力したＴＳの中で、制御情報を含むパケットは、制御部２００に入力されて解読処理される。
【００２６】
記憶装置１１１は、例えばハードディスクドライブ、光ディスク記録再生装置を含む。光ディスクにはデジタルバーサタイルディスク（ＤＶＤ）、ブルーレイディスク（ＢＤ）などが含まれる。
【００２７】
ＴＳ処理部１２２から制御部２００に送られる制御情報を含むパケットは、例えば放送番組の暗号化情報であるＥＣＭ（Entitlement Control Message）と、番組名、出演者、番組開始時刻などのイベント情報を記述したテーブルであるＥＩＴ（Event Information Table）などの情報、ＥＰＧ（Electric Program Guide：電子番組ガイド）情報を含む。ＥＰＧ情報はスポンサー情報を含む場合もある。
【００２８】
パケットに含まれる映像データは、例えばＭＰＥＧ（Moving Picture Expert Group）方式、ＡＶＣ（Advanced Video Coding）方式などでエンコードされている。またオーディオパケット内のオーディオデータは、例えばＰＣＭ（Pulse Code Modulation）方式、Ｄｏｌｂｙ（ドルビーディジタル）方式、ＭＰＥＧ方式、などでエンコードされている。
【００２９】
したがって、ＴＳ処理部１２２で分離されたパケットの中でオーディオデータを含むパケットは、オーディオデコーダ１２３に入力される。オーディオデコーダ１２３で、パケット内のデータは、符号化方式に応じて復号される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００３０】
ＴＳ処理部１２２で分離されたパケットの中で映像データを含むパケットは、映像デコーダ１３１に入力される。映像デコーダ１３１で、パケット内のデータは、符号化方式に応じて復号化される。映像デコーダ１３１でデコードされた映像データは、映像データ処理部１３２で、同期処理、輝度調整、色調整などが実施される。映像データ処理部１３２の出力は、映像出力部１３３に供給される。映像出力部１３３は、制御部２００内の表示処理部２０５からのデータ、図形、番組表、各種のメニュー映像、操作ボタン映像などをメイン映像信号に多重化することができる。
【００３１】
また映像出力部１３３は、出力映像信号に対して表示器１３４に応じたスケール、解像度、ライン数、アスペクト比などを設定して、表示器１３４に向けて出力する。
【００３２】
なお、有料番組のオーディオパケット、映像パケットが暗号化されている場合もある。この場合、鍵情報を用いて暗号化を解くための処理系統もあるがここでは省略している。
【００３３】
制御部２００は、中央演算処理ユニット（ＣＰＵ）２０１、操作デバイス管理部２０２、記録再生制御部２０３、視聴データ管理部２０４、表示処理部２０５、等を含む。制御部２００はまた、番組情報処理部（ＥＰＧデータ処理部と称してもよい）２１０を含む。制御部２００はさらに、通信制御部２２１、アップロード制御部２２２、ネット通信データ管理部２２３、メモリ２２４、表示配列制御部２２５、等を含む。
【００３４】
番組情報処理部２１０は、ＴＳに含まれる制御パケットから番組情報を取り出して蓄積することで、例えば過去１ヶ月分、現在、及び未来（現在から先）の１か月分の番組の番組情報を保持している。この番組情報は、例えば１日毎に更新される。
【００３５】
ＣＰＵ２０１は、制御部２００の全体の動作シーケンスの調整を行う。操作デバイス管理部２０２は、制御部２００に対して操作信号を与えるスマートフォン１００４、リモートコントローラ１００２などのデバイス識別データを把握し、入力受付、受付拒否などの制御することができる。
【００３６】
記録再生制御部２０３は、記憶装置１１１を制御するものであり、記憶装置１１１にデータを記録するため、および記憶装置１１１からデータを再生するための制御を行う。
【００３７】
視聴データ管理部２０４は、テレビジョン装置１００１が放送番組を受信し、再生した場合、及び記憶装置１１１に記録されている番組を再生した場合に、前記番組の番組情報を視聴履歴データとして記憶することができる。しかし１つの番組の番組情報を視聴履歴データとして記憶する場合、一定の視聴条件（例えば２０分以上）が満足された場合に、視聴として判断する。表示処理部２０５は、上記したように番組表、各種のメニュー映像、操作ボタン映像などをメイン映像信号に多重することができる。
【００３８】
ブラウザー２２０は、テレビジョン装置１００１がネットワークを介して外部サーバに接続されたときに、ブラウジングことができる。また必要に応じて、ユーザは、ブラウザー２２０を介して所望のコンテンツをダウンロードすることができる。
【００３９】
通信制御部２２１は、テレビジョン装置１００１がネットワーク３０００を介して他の装置や機器、及びスマートフォン１００４と通信を行うための制御を実行する。そのために、通信制御部２２１は、遠隔通信送受信部１２２を制御し、ネットワーク３０００と接続することができる。また通信制御部２２１は、近距離通信送受信部１１３を制御し、スマートフォン１００４と交信を行うことができる。さらにまた、また通信制御部２２１は、受信部１１４を介して、リモートコントローラ１００２からの操作信号を受け取ることもできる。
【００４０】
アップロード制御部２２２は、視聴データ管理部２０４が管理している視聴履歴データを例えば１日一回サーバ４００１へアップロードすることができる。また、アップロード制御部２２２は、ネット通信データ管理部２２３が管理しているコンテンツ関連情報を例えば１日一回サーバ４００１へアップロードすることができる。また操作デバイス管理部２０２で管理されている操作デバイスの識別データをサーバ４００１へアップロードすることができる。
【００４１】
ネット通信データ管理部２２３は、ブラウザー２２０を介してユーザがダウンロードしたコンテンツ関連情報、さらには、スマートフォン１００４から送られたコンテンツ関連情報などを管理することができる。
【００４２】
メモリ２２４は、制御部２００内で保存する各種のデータ、アプリケーションなどを保存することができる。
【００４３】
表示配列制御部２２５は、表示処理部２０５が出力するテレビジョン装置１００１の画面表示信号（画面表示出力）におけるさまざまな表示の配列および表示順を制御する。
【００４４】
スマートフォン１００４は、テレビジョン装置１００１をリモートコントロールすることもできる。またスマートフォン１００４は、図示しない基地局、インターネットなどを介してサーバをアクセスすることができる。サーバが提供するコンテンツは勿論のこと、各種のアプリケーション、ゲームソフトなどをダウンロードし、近距離通信送受信部１１３を介して、制御部２００に転送することが可能である。またスマートフォン１００４は、コンテンツを取得するための情報（例えばウェブサーバのアドレス、メールアドレス、ネットワークアドレスなど）を、近距離通信送受信部１１３を介して、制御部２００に転送することが可能である。
【００４５】
制御部２００内の通信制御部２２１は、受け取ったコンテンツをメモリ２１１に格納することができる。コンテンツは、操作コマンドに応じて、あるいは自動的に記憶装置１１１に格納されてもよい。記憶装置１１１は、受け取ったコンテンツを例えばハードディスクに記録させることができる。ハードディスクにおいては、コンテンツはコンテンツファイルとして管理される。
【００４６】
メニュー映像信号、番組表の映像信号などは、表示処理部２０５にて格納及びまたは管理されている。メニューの表示、番組表の表示が行われるときは、メニュー画面データ、番組表データが、ＣＰＵ２０１の制御に基づき、データ格納部（メモリあるいはハードディスク）から読み出され、表示処理部２０５に供給される。これにより、メニューや番組表の画像が表示器（ディスプレイ）１３４に表示される。
【００４７】
メニュー映像信号、番組表の映像信号などは、スマートフォン１００４に送信されることもできる。スマートフォン１００４がメニュー、番組表などを要求した場合、ＣＰＵ２０１の制御に基づき表示処理部２１２は、メニューの映像信号、番組表の映像信号を送信することができる。
【００４８】
スマートフォン１００４は、メニュー、番組表をタッチ式パネルの画面に表示することができ、ユーザは、タッチ（あるいはポイント）式パネルの画面に表示された操作ボタンに触れることにより、テレビジョン受信装置に動作指令信号を与えることができる。後述するように、ユーザは、携帯端末５０２を利用して、番組表、キーワードに関連するデータ処理を実行させることができる。
【００４９】
図４Ａは、テレビジョン装置１００１のアップロード制御部２２１が、番組情報をサーバ４００１にアップロードする際の動作例を示すフローチャートである。アップロード制御部２２１は、視聴データ管理部２０４を参照し、放送番組を受信して視聴したことを示す視聴履歴データ、記録番組を参照して視聴したことを示す視聴履歴データ、配信番組を受信して視聴したことを示す視聴履歴データがあるかどうかが判定する（ブロックＳＡ１）。また、視聴履歴データが存在した場合は、機器ＩＤとともに視聴履歴データをサーバ４００１へアップロードするための準備をする（ブロックＳＡ２）。準備が整ったら、アップロードが許可されているかどうかを判定する（ブロックＳＡ３）。ユーザは、視聴履歴データをサーバ４００１へアップロードするか、しないかをテレビジョン装置１００１に設定することができる。アップロードが許可されている場合は、アップロードが実行される（ブロックＳＡ４）。アップロードが禁止されている場合は、準備されている視聴履歴データが消去される（ブロックＳＡ５）。
【００５０】
図４Ｂは、テレビジョン装置１００１のアップロード制御部２２１が、コンテンツ関連情報をサーバ４００１にアップロードする際の動作例を示すフローチャートである。アップロード制御部２２２がネット通信データ管理部２２３に管理されているコンテンツ関連情報を参照する（ブロックＳＢ１）。コンテンツ関連情報が存在した場合、コンテンツ関連情報を取得する（ブロックＳＢ２）。機器ＩＤとともに視聴履歴データをサーバ４００１へアップロードするための準備をする（ブロックＳＢ３）。準備が整ったら、アップロードが許可されているかどうかを判定する（ブロックＳＢ４）。ユーザは、コンテンツ関連情報をサーバ４００１へアップロードするか、しないかをテレビジョン装置１００１に設定することができる。アップロードが許可されている場合は、アップロードが実行される（ブロックＳＢ５）。アップロードが禁止されている場合は、準備されている視聴履歴データが消去される（ブロックＳＢ６）。
【００５１】
なお上記した機器ＩＤとともに、ユーザＩＤ，及び操作デバイス管理部２０２に管理されているデバイス（パーソナルコンピュータ、スマートフォンなど）のアドレス及びＩＤがアップロードされてもよい。
【００５２】
図５は、図２のシステムにおいて、サーバ４００１の制御装置４００３の基本構成を示している。
【００５３】
制御装置４００３は、ユーザ端末グループの各機器から送られてくる視聴履歴データ、コンテンツ関連情報をデータファイル４００２に格納することができる。視聴履歴データは、コンテンツ関連情報に含まれる。
【００５４】
制御装置４００３は、第１の制御部４０１、第２の制御部４０２、第３の制御部４０３を有する。
【００５５】
第１の制御部４０１は、第１のコンテンツに関連づけられる行為及び又は動作を実施した複数の関連ターゲット（顧客と称してもよい）のデータを囲い込むことができる。この第１の制御部４０１は、囲い込み部と称されてもよい。
【００５６】
ここで、囲い込みとは、例えばあるコンテンツに関連づけられる行為及び又は動作を実施した複数の関連ターゲット（顧客）のデータをまとめることである。
【００５７】
あるコンテンツに関連づけられる行為とは、例えばテレビジョン装置、あるいはスマートフォンにより、テレビ番組あるいは配信番組を視聴したユーザの行為、ある製品や商品に関するテレビショッピングを実行した行為などである。
【００５８】
またコンテンツに関連づけられる動作とは、前記テレビジョン装置、スマートフォンなどが上記行為（ユーザ操作など）に応答して働くことである。
【００５９】
複数の関連ターゲット（顧客）とは、前記テレビ番組、前記配信番組の視聴者、前記ある製品や商品などの購入者、テレビジョン装置、携帯端末（スマートフォン、タブレット、パーソナルコンピュータなど）を含む。
【００６０】
第１の制御部４０１は、囲い込み処理部４０１ａ、囲い込み拡張処理部４０２ｂ、離脱抑制処理部４０１ｃを有する。これらの各ブロックの動作例については後で説明する。
【００６１】
第２の制御部４０２は、前記第１のコンテンツに関する媒体の媒体情報及びまたは前記第１のコンテンツに関連した第２のコンテンツに関する媒体の媒体情報を入手することができる。第２の制御部４０２は、媒体情報収集部４０２ａ、付随情報収集部４０２ｂを含む。
【００６２】
ここで、前記第１のコンテンツに関する媒体とは、コンテンツ媒体である。放送番組、配信番組、紙媒体（本、小説、雑誌、漫画、新聞、チラシなど）、デジタル媒体（ＣＤ，ＤＶＤ，ＢＤ，半導体メモリなど）、映画館、コンサート会場、イベント会場、その他各種会場、劇場などを含む。
【００６３】
媒体情報収集部４０２ａが入手する媒体情報は、番組名、番組主演者、司会者、アナウンサー、放送時間、配信日時、放送チャンネル、発行年月日、発行元、販売店、出版会社、配給会社、各種の会場、住所、開催時間帯などを含む。
【００６４】
また第１のコンテンツに関連した第２のコンテンツとは、第１のコンテンツと共通な基本データを全部または一部を備える第２のコンテンツである。例えば第１のコンテンツが放送番組の場合、同じジャンルの他の放送番組、あるいは、司会者が同じの他の放送番組、あるいは主演者が同じの他の放送番組、あるいは原作者が同じの他の放送番組などがある。
【００６５】
付随情報収集部４０２ｂは、交通案内情報、宿泊情報、顧客がイベント会場に行くためのルート情報などである。
【００６６】
第３の制御部４０３は、関連データ検索部４０３ａ，通知処理部４０３ｂ、通知タイミング処理部４０３ｃを含む。
【００６７】
第３の制御部４０３は、前記第２の制御部４０２が入手した前記媒体情報に基づいて、前記制御部４０１に格納されている前記複数の関連ターゲット（いわゆる顧客）のデータの中から、前記第２の制御部４０２が取得した前記媒体情報に関連する顧客データを検索し、検索した顧客データに対応する関連ターゲット（いわゆる顧客）に、前記媒体情報を通知することができる。
【００６８】
例えば、コンテンツ媒体提供元５０００から入手された媒体情報が、例えば過去に放送された放送番組ＡのドラマＡ−１の続編に関する情報（ドラマＡ−２の情報）であるとする。すると第３の制御部４０３は、続編に関する情報（ドラマＡ−２の情報）に基づいて、前記複数の関連ターゲットのデータの中から、続編に関する情報（ドラマＡ−２の情報）に関連する顧客データ（ドラマＡ−１を視聴したユーザ）を検索する。そして検索した顧客データ（ドラマＡ−１を視聴したユーザ）に対応する関連ターゲット（顧客：例えばドラマＡ−１を視聴したユーザのテレビジョン装置、スマートフォン、あるいは当該ユーザが所有するパーソナルコンピュータ）にドラマＡ−２に関する情報（ドラマＡ−２の放送開始日、チャンネルなど）を通知することができる。
【００６９】
このときの関連ターゲット（顧客：視聴者）は、前記ドラマＡ−２に関して、興味を持つことが明らかである。なぜなら、前記ドラマＡ−２の前編であるドラマＡ−１を過去に視聴しているからである。
【００７０】
また、第３の制御部４０３は、ドラマＡ−１に関する出版物が発行される場合、あるいはドラマＡ−１に関連した映画がリリースする場合も事前に、関連ターゲット（顧客）に通知することができる。このときの関連ターゲット（消費者、鑑賞者など）は、前記出版物や映画に関して、興味を持つことが明らかである。なぜなら、前記出版物や映画に関連したドラマＡ−１を過去に視聴しているからである。
【００７１】
このことは、ドラマＡ−２やドラマＡ−１に関する出版物に関して、広告、宣伝が極めて効果的に実施されることである。従来は、出版物や映画のリリースに関して膨大な広告宣伝費用が掛かり、しかも広告、宣伝の効率が良くないという面があった。しかし、本実施形態によると、広告、宣伝効率が極めて良好であり、広告、宣伝費用を軽減できる。
【００７２】
第１の制御部４０１、第２の制御部４０２及び第３の制御部４０３のさらに具体的な動作を説明する前に、データファイル４００２に収集される複数の関連ターゲットのデータについて説明する。
【００７３】
図６Ａ−図６Ｄは各種のデータファイルのデータの構成例を示している。これから説明するデータの種類は、限定されるものではなく、ここではいくつかの例を示すだけである。図６Ａは、番組（電波を通じて放送される放送番組あるいはネットを通じて配信される配信番組）の基本データのファイルである（サーバ４００１に構築されているデータファイルの一例であり、番組に基本データが存在することを示す）。
【００７４】
図６Ａは、各番組に基本データが付随（関連）していることを示している。
【００７５】
すなわち、番組１１に付随する基本データ、番組１２に付随する（関連する）基本データ（属性データと称してもよい）が存在する。基本データは、例えば図６Ｅに示すようなデータである。
【００７６】
図６Ｅは、番組１１の基本データの例を示している。番組１１には、番組固有の番組名、放送チャンネル、放送時間帯などが存在する。さらに番組１１の司会者、ゲスト、ＣＭ（コマーシャル）情報（スポンサー、商品）などの情報がある。司会者、ゲスト、ＣＭ情報は、変更される場合がある。
【００７７】
さらに番組１１の司会者、ゲスト、ＣＭ（コマーシャル）情報（スポンサー、商品）などの情報を得ることができる。なお、司会者、ゲスト、ＣＭ情報は、変更される場合がある。基本データは、例えばサーバ４００１に、データファイルとして構築されていることが好ましい。
【００７８】
図６Ｅが示す番組１１の基本データとしては、不変のデータがある。例えば、番組１１がドラマの場合は、原作者、監督、脚本家、番組のジャンル情報がある。さらに、放送されている番組１１が第１話であるか、第２話であるかなどを示す情報、出演者、風景（撮影場所）、登場する乗り物（メーカ）、出演者が着た衣装（メーカ）、番組音楽、作曲者などがある。さらにまた、上記の個々の基本データを組み合わせた組み合わせ基本データも存在する。
【００７９】
またこのデータには、同一の基本データを有する他の番組の情報（番組識別情報）が付随（関連）していてもよい。図６Ｅにおいて、番組１１の司会者は、番組１−２、番組１−３にも出演していることを示している。番組１１でのＣＭは、番組２−２、番組２−３でも放映されていることを示している。番組１１の原作者は、番組４−２、番組４−３も作成していることを示している。このように番組１１と他の番組とを基本データの共通性を軸（アスペクトと称してもよい）として関連付けすることができる。また番組の基本データを複数組み合わせた複合基本データを軸として、番組１１を他の番組と関連付けすることができる。
【００８０】
図６Ｂに戻り説明する。図６Ｂは、番組対視聴者データのファイルである。図６Ｂが示すデータファイルには、番組１１を視聴した視聴者１，２，３・・・のリストが構築されている。図６Ｂが示すデータファイルにはまた、番組２１を視聴した視聴者１，２，３・・・のリストが構築されている。
【００８１】
図６Ｃは、視聴者対番組データのファイルである。視聴者１は番組１１，２１，３１を視聴したことを示している。また視聴者２は、番組２１，２１，３２を視聴したことを示している。
【００８２】
図６Ｄは、視聴者のアドレスを格納したデータのファイルである。各視聴者はそれぞれ視聴者識別データと、アドレスを有し、アドレスとしてはテレビジョン装置、パーソナルコンピュータ、スマートフォンなどのアドレスがある。パーソナルコンピュータ、スマートフォンなどの識別データは、操作デバイス管理部２０２（図３）に登録されている。
【００８３】
なお図６Ａ−図６Ｄにおいては、各種データの分類及び仕分けの一例を示しているが、必ずしもこのような体系に限定される訳ではない。全てのファイルが一体化されたデータファイルとして構成され、関連データ要素間には、関連データがリンクするようにリンク情報が記述されていてもよい。
【００８４】
図７は、上記した各種のデータファイルを利用して、視聴者と他の視聴者を関連つける場合の関連付けルートの例を示している。関連付けルートＲ１は、視聴者１が視聴した番組１の基本データ１の一部または全部が、視聴者５が視聴した番組５の基本データの一部または全部と同じであることを示している。
【００８５】
さらに関連付けルートＲ２は、視聴者３が視聴した番組３の基本データ１の一部または全部が、視聴者５が視聴した番組５の基本データの一部または全部と同じであることを示している。
【００８６】
関連付けルートＲ３は、視聴者２が視聴した番組２と、視聴者５が視聴した番組５ｎとが同一であることを示している。また関連付けルートＲ４は、視聴者３が視聴した番組３と、視聴者４が視聴した番組４ｎとが同一であることを示している。このような関連付けルートのサーチは、関連データ検索部が行うことができる。
【００８７】
図８は、番組と番組の関連付けを行う場合の一例を示している。図８が示すように、各番組には基本データが付随している。従って、例えば番組３１の基本データとしてＣＭ１が存在した場合、番組３１，３２，３３，４４を関連付けることができる。この関連付けの状態を、ＣＭ１の軸による関連付けを状態と、称してもよいし、アスペクトがＣＭ１である関連付け状態と称してもよい。
【００８８】
図８の例は、さらに番組３１に出演する共演者２の軸による関連付け状態を示している。図８の例では、番組３１における共演者２は、番組３２，３３，３５にも出演していることを示している。
【００８９】
図８は更にまた、原作者１とジャンル１の組み合わせ軸による関連付け状態も示している。原作者１は、番組３１，１１，１２の原作者でもあり、ジャンル１に属する番組の原作者でもあることを示している。
【００９０】
さらにまたジャンル１の軸のみによる関連付け状態も示している。この例では、ジャンル１に属する番組は、番組３１，１１，１２のほかに、番組２１、番組２２が存在することを示している。番組２１の原作者は原作者２１であり、番組２２の原作者は原作者２２であり、番組２１と２２の原作者は異なることも示している。
【００９１】
このように本システムでは、各種のアスペクト、あるいは各種の軸による番組の関連付けを行うことができる。よって、上記のデータベースが利用されることにより、１つの番組をスタート起点にして、それぞれ軸が異なる番組と番組の関連付け、番組と視聴者との関連付け状態を得ることができる。
【００９２】
本システムでは、データファイルにおいて、番組に関する複数の属性を示す基本データが定義され、複数の番組の基本データが格納されている（図６Ａ，図６Ｅ）。また、複数の番組に対してそれぞれ視聴者を関連付けたデータ（図６Ｂ）、複数の視聴者に対してそれぞれ番組を関連付けたデータ（図６Ｄ）がデータファイルに含まれる。
【００９３】
したがって、制御装置４００３は、少なくとも前記データファイルをアクセスして、関連付けられたデータ間で、テーマに応じて選択したデータを関連付けたデータクラスタを生成し、このデータクラスタに含まれる視聴者及びまたは番組を特定することができる。
【００９４】
図９は、図５に示したデータファイル４００２と制御部４０１との関連動作の一例を説明するために示したブロック図である。制御部４０１は、格納部４０１ｅを有し、ここに例えばコンテンツＣ１，Ｃ２，Ｃ３・・・・に対するファンクラブのメンバーが収集される。ここではファンクラブのメンバーを関連ターゲット（顧客と称してもよい）と称している。関連ターゲットと称したのは、関連ターゲットには、視聴者（人間系）の他に、視聴者が所有するパーソナルコンピュータ、タブレット、スマートフォンなど（機器系）が含まれることを考慮したからである。
【００９５】
したがって複数の顧客データは、放送番組を受信した機器又は前記機器のユーザ又はデジタル媒体を購入するために用いたツール又はデジタル媒体を借りるために用いたツール又はツールを使用するユーザ又は映画を鑑賞した鑑賞者又はコンサート会場又はイベント会場に訪れた訪問者の少なくともいずれかを含む。
【００９６】
関連ターゲット検索部４０１ｄは、データファイル４００２にアップロードされているコンテンツ関連情報を参照する。関連ターゲット検索部４０１ｄは、例えばコンテンツＣ１に対する関連ターゲットを検索し、この関連ターゲットをファンクラブのメンバーとして囲い込む。同様に、コンテンツＣ２とＣ３に対しても、それぞれの関連ターゲットをそれぞれのファンクラブのメンバーとして囲い込む。
【００９７】
また、関連ターゲット検索部４０１ｄは、各コンテンツＣ１，Ｃ２及びＣ３のそれぞれに対する拡張した関連ターゲットを囲い込むことができる。拡張した関連ターゲット（第１の関連ターゲット）は、対応する第１のコンテンツの直接の関連ターゲットではないが、対応する第２のコンテンツに類似する第２のコンテンツの関連ターゲット（第２の関連ターゲット）を含むことができる。なお、ファンクラブという名称は、これに限定されるものではなく、パック、メンバーズクラブ、グループ、フォーラム、コミュニティ、等、各種の名称で呼称可能である。
【００９８】
図１０Ａは、関連ターゲットを抽出して囲い込む囲い込み処理の一例を示している。
【００９９】
はじめに、データファイル４００２にアップロードされているコンテンツ関連情報（関連ターゲットを含む）が参照され、新しくコンテンツＩＤ（例えばコンテンツＣ１）が設定される（ブロックＳＣ１）。次に、コンテンツ関連情報がチェックされ、コンテンツＣ１（コンテンツＩＤ）に対応する関連ターゲットの有無が判定され、対応する関連ターゲットのデータがデータファイルの中から抽出される（ブロックＳＣ２）。抽出された関連ターゲットのデータが格納部のテーブルに格納される（ブロックＳＣ３）。次に、データファイル内のコンテンツ関連情報のデータをすべてチェックしたかどうかの判定が行われる（ブロックＳＣ４）。すべてのコンテンツ関連情報がチェックされていない場合は、ブロックＳＣ２に戻る。すべてのコンテンツ関連情報がチェックされている場合は、ブロックＳＣ５にて、コンテンツＩＤは最後のＩＤであるか判定される。つまり、すべてのコンテンツに関して、囲い込み処理が終了したか否かの判定がなされる。囲い込み処理が終了していれば、終了し、終了していない場合は、ブロックＳＣ１に戻る。
【０１００】
図１０Ｂは、コンテンツＩＤに関する関連ターゲットではなく、コンテンツＩＤに関する拡張関連ターゲット（拡張顧客）を抽出して囲い込む処理（サーバ４００１において、実行される囲い込み拡張処理）の一例を示している。拡張関連ターゲットは、例えば図６Ａ−図６Ｅ，図７〜図８に示した複数のコンテンツ間の関連付けルートを利用して、抽出された関連ターゲット（拡張顧客）である。例えば図７に示したルートＲ１−Ｒ４を利用すると、第１の視聴者を他の第２の視聴者と関連付け、同じファンクラブに、第１と第２の視聴者を囲い込むことができる。
【０１０１】
新しくコンテンツＩＤ（例えばコンテンツＣ１）が設定される（ブロックＳＤ１）。次に、コンテンツ関連情報がチェックされ、コンテンツＣ１（コンテンツＩＤ）に対応する拡張関連ターゲットの有無が判定され、対応する拡張関連ターゲットのデータがデータファイルの中から抽出される（ブロックＳＤ２）。抽出された拡張関連ターゲットのデータが格納部のテーブルに格納される（ブロックＳＤ３）。次に、データファイル内のコンテンツ関連情報のデータをすべてチェックしたかどうかの判定が行われる（ブロックＳＤ４）。すべてのコンテンツ関連情報がチェックされていない場合は、ブロックＳＤ２に戻る。すべてのコンテンツ関連情報がチェックされている場合は、ブロックＳＤ５にて、コンテンツＩＤは最後のＩＤであるか判定される。つまり、すべてのコンテンツに関して、囲い込み拡張処理が終了したか否かの判定がなされる。囲い込み拡張処理が終了していれば、終了し、終了していない場合は、ブロックＳＤ１に戻る。
【０１０２】
上記したようにファンクラブを生成するための囲い込み処理、囲い込み拡張処理が実行される。次に、囲い込んだ顧客を、本格的なファンクラブに登録するために、各顧客に対して通知が実行される。なお囲い込まれた顧客を、この通知なしに自動的にファンクラブのメンバーに登録してもよい。
【０１０３】
上記通知タイミングは、例えばユーザが機器（パーソナルコンピュータ、タブレット、スマートフォンなど）の電源をオンした場合、あるいは、機器電源をオンし、特定の操作ボタンを操作した場合、あるいは番組を視聴した後など各種の設定が可能である。
【０１０４】
図１１Ａ、図１１Ｂは、ファンクラブ（パックと称する場合もある）の構築方法の一例を示す。
【０１０５】
図１１Ａにおいて、ユーザＵ０１は、コンテンツＣ１（番組）を視聴していることが判明している（ブロックＳＥ１）。またユーザＵ０１は、コンテンツＣ１のファンクラブの一員として囲い込まれている（ブロックＳＥ２）。上記の判断のもとに、通知処理部４０３ｂは、コンテンツＣ１のファンクラブの一員として登録してよいかどうかを、ユーザＵ０１に通知する（ブロックＳＥ３）。ここで、通知先は、ユーザＵ０１が使用している機器（パーソナルコンピュータ、タブレット、スマートフォンなど）である。ユーザＵ０１から「登録許可」の返事があった場合は、ユーザＵ０１をコンテンツＣ１のファンクラブの正式な一員として登録する（ブロックＳＥ４）。
【０１０６】
図１１Ｂは、コンテンツＣ１のファンクラブにユーザＵ０１が入会しない「登録拒否」の返事があった場合の例である（ブロックＳＥ５）。他のブロックＳＥ１−ＳＥ３は、図１１Ａと同じであるために説明は省略する。
【０１０７】
図１２は、シリーズのドラマＹの番組を視聴したユーザＵ１−Ｕ４の各種視聴タイプの例を示す説明図である。ユーザＵ１は視聴タイプＡであり、ドラマを第１話から連続して第６話まで視聴したタイプである。ユーザＵ２は視聴タイプＢであり、ドラマを第１話から連続して第３話まで視聴したが、第４話を視聴せず、第５話を視聴したタイプである。
【０１０８】
ユーザＵ３は視聴タイプＣであり、ドラマを第１話から連続して第３話まで視聴したが、第４話以後を視聴していないタイプである。ユーザＵ４は視聴タイプＤであり、ドラマを第１話、第２話を視聴しなかったが、第３話以後を視聴しているタイプである。
【０１０９】
図１３は、番組視聴者を当該番組のファンクラブに登録する際の判定例を示すフローチャートである。ユーザＵ１は視聴タイプＡであり、第４話までを連続して視聴している（ブロックＳＦ１）。このことはドラマＹに関して極めて嗜好性が強いと判断されるので、ユーザＵ１は、ドラマＹのファンクラブの一員として判断する（ブロックＳＦ２）。通知処理部は、ユーザＵ１に対して、ドラマＹのファンクラブの一員として登録してよいかどうかを通知する（ブロックＳＦ３）。「登録許可」の返事があった場合は、ドラマＹのファンクラブにユーザＵ１を登録する（ブロックＳＦ４）。返事がない場合、及び「登録拒否」の返事があった場合は、登録しない。
【０１１０】
図１４は、ファン離脱抑制の例（番組視聴者を当該番組のファンクラブに登録する際の判定例）を示すフローチャートである。ユーザＵ２は、ドラマＹに関して、視聴タイプＢであり、第１話、第２話、第３話を視聴し、第４話を視聴せず、第５を視聴した（ブロックＳＧ１）。この時点で、ユーザＵ２は、ドラマＹに関心が高いと推定できる。そこで、ユーザＵ２は、すでにドラマＹのファンクラブの一員であるかどうかの判定がなされる（ブロックＳＧ２）。ユーザＵ２がドラマＹのファンクラブの一員でない場合、ドラマＹのファンクラブの一員として本システムは判断する（ブロックＳＧ３）。通知処理部は、ユーザＵ２に対して、ドラマＹのファンクラブの一員として登録してよいかどうかを通知する（ブロックＳＧ４）。「登録許可」の返事があった場合は、ドラマＹのファンクラブにユーザＵ１を登録する（ブロックＳＧ５）。返事がない場合、及び「登録拒否」の返事があった場合は、本システムは登録しない。
【０１１１】
ブロックＳＧ２において、ユーザＵ２がすでにドラマＹのファンクラブメンバーであることが分かった場合、ドラマＹの第４話の再配信日及び又は再放送日時をユーザＵ２の機器に通知する。この通知情報は、例えばユーザＵ２が使用している機器のメニュー画面で、ファンクラブボタンを操作することにより、表示される。
【０１１２】
図１５は、ファン離脱抑制（番組視聴者を当該番組のファンクラブに登録する際の判定例）の他の例を示すフローチャートである。ドラマＹをユーザＵ３は、第１話から第３話までを連続して視聴した、しかし、それ以降は視聴していない。この場合、ユーザＵ３は、ドラマＹのファンクラブメンバーの候補であると、本システムは判断する（ブロックＳＨ２）。通知処理部は、ユーザＵ３に対して、ドラマＹのファンクラブの一員として登録してよいかどうかを通知する（ブロックＳＨ３）。「登録許可」の返事があった場合は、ドラマＹのファンクラブにユーザＵ３を登録する（ブロックＳＨ４）。返事がない場合、及び「登録拒否」の返事があった場合は、本システムは登録しない（ブロックＳＨ５）。
【０１１３】
なお、ブロックＳＨ２の前ブロックとして、ユーザＵ３が、ドラマＹのファンクラブメンバーであるかどうかを判断する処理があってもよい。
【０１１４】
図１６は、ファン離脱抑制（番組視聴者を当該番組のファンクラブに登録する際の判定例）のさらに他の例を示すフローチャートである。ユーザＵ４は、ドラマＹに関して第１話から第２話までを視聴せず、第３話、第４話と視聴した。この場合、ユーザＵ４は、ドラマＹのファンクラブメンバーの候補であると、本システムは判断する（ブロックＳＪ２）。通知処理部は、ユーザＵ４に対して、ドラマＹのファンクラブの一員として登録してよいかどうかを通知する（ブロックＳＪ３）。「登録許可」の返事があった場合は、ドラマＹのファンクラブにユーザＵ３を登録する（ブロックＳＪ４）。そして、ドラマＹの第１話、第２話の再配信日及び又は再放送日時を通知する（ブロックＳＪ４）。上記の返事がない場合、及び「登録拒否」の返事があった場合は、本システムは登録しない（ブロックＳＨＪ）。
【０１１５】
なお、ブロックＳＪ２の前ブロックとして、ユーザＵ４が、ドラマＹのファンクラブメンバーであるかどうかを判断する処理があってもよい。
【０１１６】
上記したように実施形態では、ユーザに対してファンクラブ入会の勧誘を行うことができる。ファンクラブ入会の勧誘は、上記の手段に限定されるものではなく、各種の方法が可能である。例えば、番組表が表示器に表示された状態で、機器をファンクラブ入会モードに切り替えて、そしてユーザが希望の番組リストを選択して決定操作を行うことにより、ファンクラブ登録が行われてもよい。
【０１１７】
図１７は、コンテンツＹ１のファンクラブのメンバー（ユーザと称してもよい）に、コンテンツＹ１に関連する媒体情報と付随情報を通知するシステムの一例を示している。
【０１１８】
図１７が示すように、コンテンツＹ１に関して、ユーザＵ１，Ｕ２、・・・・Ｕｎが、かかわりを持ったとする。かかわりとは、コンテンツＹ１の放送番組あるいは配信番組を視聴した、あるいは、コンテンツＹ１が収録されたデジタル媒体を購入又はレンタルショップから借りた、あるいは録画されているコンテンツＹ１を再生して視聴したなどである。あるいは、コンテンツＹ１がイベントあるいはコンサートなどであった場合、そのチケットを購入及び又は予約した場合も含まれる（ブロックＳＫ１、ＳＫ２）。
【０１１９】
上記したように本システムは、コンテンツＹ１に関連したデータを収集により、コンテンツＹ１に関するファンクラブを構築することができる（ブロックＳＫ３）。ここで、本システムは、コンテンツ媒体提供元５０００から媒体情報を収集することにより、コンテンツＹ１に関連する媒体情報が存在するかどうかを判断することができる（ブロックＳＫ１２）。コンテンツＹ１に関連する媒体情報が存在した場合、本システムは、コンテンツＹ１のファンクラブメンバーであるユーザＵ１−Ｕｎに媒体情報を通知する。媒体情報としては、コンテンツＹ１に関する本や雑誌の出版情報、コンテンツＹ１に関するイベント情報など多種である。出版情報には、本や雑誌の販売店、販売開始日などがある。コンテンツＹ１に関するイベント情報には、イベント開催日時、開催場所（国内、外国）がある。さらにこれらの通知情報には、販売店、イベント開催場所の住所、交通系路、などのサービスが付随情報として付帯している。
【０１２０】
図１８は、コンテンツＹ１のファンクラブのメンバー（ユーザと称してもよい）に、コンテンツＹ１に関連する媒体情報と付随情報を通知するシステムの他の例を示す。
【０１２１】
図１８では、図１７のブロックに比べて、ブロックＳＫ４−ＳＫ１１が備わっている点が異なる。コンテンツＹ１に関するファンクラブメンバーが囲い込まれた後（ブロックＳＫ３）、ユーザに対して「今後、コンテンツＹ１に関連する情報がありましたらお知らせいたしますがよろしいですか？」というようなメッセージを通知する。ここで、ユーザから「否定」の返事があった場合（ブロックＳＫ５）、当該ユーザは、特殊の処理ルーチンとして扱われることになる（ブロックＳＫ６）。すなわち、コンテンツ媒体提供元５０００からコンテンツＹ１に関する媒体情報を収集したとき、収集毎に当該拒否ユーザに提供するのではなく、例えば５回に１回の割合、あるいは１０回に１回の割合で提供する（ブロックＳＫ７）。
【０１２２】
一方、ブロックＳＫ４での処理後、ユーザから「許可」の返事があった場合（ブロックＳＫ１０）、当該ユーザは、優先処理ルーチンとして扱われることになる（ブロックＳＫ１１）。すなわち、コンテンツ媒体提供元５０００からコンテンツＹ１に関する媒体情報を収集したとき、本システムは収集毎に当該ユーザに提供する。
【０１２３】
なお、媒体情報は、当該媒体に関連するコンテンツがたとえば放送された後、２年後、あるいは３年後に発売される関連本、関連小説、関連記憶媒体の場合がある。
【０１２４】
図１９Ａは、テレビジョン装置１００１のメニュー画面にファンクラブボタン１５２が表示された例を示す。図１９Ｂは、パーソナルコンピュータ、又はタブレット、又はスマートフォンのメニュー画面にファンクラブボタン１５２が表示された例を示す。
【０１２５】
図１９Ｃは、ファンクラブボタンが操作されたことにより、ユーザに対してファンクラブへの入会を誘う「お誘い画面」が表示された例である。この画面では、例えば「あなたをドラマＹのファンクラブに登録してよいですか？」なるメッセージと、返信用ボタン「ＹＥＳ」、「ＮＯ」が表示される。ユーザが「ＹＥＳ」ボタンを選択して決定を行うと、図１９Ｄに示すように、ユーザがファンクラブに登録されたことを示す画面が現れる。ここでは、メッセージとして、例えば「あなたをドラマＹのファンクラブに登録しました」、「今後、ドラマＹの関連情報をお送りしてもよいですか？」、なるメッセージと、返信用ボタン「ＹＥＳ」、「ＮＯ」が表示される。ユーザが「ＹＥＳ」ボタンを選択して決定を行うと、図１９Ｅに示すように、コンテンツ（ドラマＹ）に関する関連情報が提供されることを示す画面表示、例えば「今後、ドラマＹの関連情報をお送りします、お楽しみに！」なるメッセージが表示される。
【０１２６】
図１９Ｄの画面で、ユーザが返信用ボタン「ＮＯ」を選択して決定した場合、ユーザのファンクラブ登録は行われるが、関連情報の提供サービス頻度が低減される。例えば、図１８のブロックＳＫ６の特殊処理ルーチンによる、サービスとなる。
【０１２７】
図２０Ａは、ユーザがファンクラブ入会後、テレビジョン装置１００１の電源をオンしたとき、ファンクラブニュースが届いていることを示唆するファンクラブボタン１５２の様子を示す。この時の画面は、テレビジョン装置１００１が、近距離通信送受信部１１３によりファンクラブメンバーのユーザがテレビジョン装置１００１の電源をオンしたことを、スマートフォン又はタブレット１００４からの信号により検出したような場合に表示することが好ましいホーム画面である。また図２０Ｂは、ユーザがファンクラブ入会後、パーソナルコンピュータ１００３、又はタブレット１００５、又はスマートフォン１００４の電源をオンしたとき、ファンクラブニュースが届いていることを示唆するファンクラブボタン１５２の様子を示す。このときファンクラブボタン１５２は、例えば点滅したり、あるいは色が変化したりする。図２０Ｃは、テレビジョン装置１００１の起動時（電源オン時）の画面表示の一例であり、レジューム画面での起動例を示す。例えば、テレビジョン装置１００１の電源をオンしたユーザがファンクラブメンバーではない場合、あるいはファンクラブメンバーであるユーザのスマートフォン又はタブレット１００４からの信号を近距離通信送受信部１１３により検出できない場合、レジューム画面での起動することが好ましい。このときは、ファンクラブボタン１５２は表示されない。なお、テレビジョン装置１００１の電源をオンしたユーザがファンクラブのメンバーである場合は、ホーム画面へ戻るボタン１５３を選択後、オンする（リモコンあるいはスマートフォンから［ＯＫ］を指示入力する）ことで、ファンクラブボタン１５２が表示される。
【０１２８】
図２１は、図２０Ａ，図２０Ｂに示したファンクラブボタン１５２をユーザが選択して決定を行い、次のメッセージ画面を開いたとき最初に現れる、最新の各種のメッセージ例を示す。例えば、    
「あなたが見た番組ＥＥのキャラクタグッズが販売されます。」、「販売開始日：・・月・・日」、「販売店：・・・店」、「値段：・・・〜・・・」などと表示される。さらに販売店への交通手段を調べることができるように、交通手段・交通費の案内画面に移行するための、アクセスボタンが表示される。この案内画面の情報は付随情報出力部６０００から出力されている。
【０１２９】
またメッセージの例としては、「あなたが見た番組ＡＡの主演者  ・・・さんが、コンサートを開催します。」、「開催日：・・月・・日」、「場所：横浜のＤ会場」、「入場料：￥・・・」などと表示される。また付随情報出力部６０００から交通案内、宿泊施設案内なども提供される。
【０１３０】
またメッセージの例としては、「あなたが見たシリーズドラマＢＢＢの第２シリーズが始まります。」、「開始日：・・月・・日」、「チャンネル：ＣＨ・・・」、「時間帯：・・時〜・・時」などと表示される。
【０１３１】
またメッセージの例としては、「あなたが見た番組ＥＥに関する小説が販売されます」「販売開始日：・・月・・日」「販売店：ＫＫ点」「値段：￥・・・」などと表示される。さらに販売店への交通手段を調べることができるように、交通手段・交通費の案内画面に移行するための、アクセスボタンが表示される。この案内画面の情報は付随情報出力部６０００から出力されている。
【０１３２】
なお、ファンクラブボタン１５２を選択して決定した場合、到着している（受信されている）ファンクラブニュースのリストが表示されてもよい。例えばリストは、複数のファンクラブ名称として表示されてもよい。ユーザは、所望のファンクラブ名称を選択して決定することにより、ファンクラブの最新ニュースを見ることができる。
【０１３３】
図２２は、ユーザが所属しているファンクラブを確認したい場合に利用するクラブ確認ボタン１５５と戻るボタン１５６を示している。
【０１３４】
図２２が示す画面表示に対し、リモコン操作あるいはタッチ操作により、クラブ確認ボタン１５５が選択されて決定されると、本機器のユーザが所属しているファンクラブリストが表示される。図２２では、画面が小さいので、画面の外に表示内容を拡大して示している。ファンクラブリストとしては、例えば「あなたが所属しているファンクラブリストです」とのメッセージが記述され、以下に各ファンクラブの名称が表示される。図２２の例では、例えば「Ｍｉｓ，Ｒ．Ｓ関連クラブ」、「スポーツ・ジャイアンツ関連クラブ」、「ドラマ「木星」の関連クラブ」が示されている。ここでユーザがクラブについてさらに詳しく知りたい場合は、所望のクラブ名を選択し決定操作を行えばよい。
【０１３５】
今、ユーザが、「ドラマ「木星」の関連クラブ」を選択して、決定操作を行ったとする。すると、例えばこのファンクラブの最新ニュースを見ることができる。
【０１３６】
なお、ユーザがファンクラブから脱会したい場合は、脱会希望するファンクラブ名の先頭にある脱会ボタンにチェックマークを記述することにより、当該ファンクラブから脱会することができる。
【０１３７】
図２３は、複数の異なるファンクラブから、共通項を検出して、新たなファンクラブを生成（連鎖的拡張）する例を示す。この新たなファンクラブ生成処理は、例えば制御部４０１の囲い込み拡張処理部４０１ｂが担当する。
【０１３８】
例えばコンテンツＰＡのファンクラブメンバーとコンテンツＰＢのファンクラブメンバーとを比較した場合、４０％以上の共通メンバーが所属していた場合、コンテンツＰＡのファンクラブ（第１のファンクラブ）と、コンテンツＰＢのファンクラブ（第２のファンクラブ）のメンバーは、嗜好性が共通している可能性が高いと判断される。
【０１３９】
したがって、第１と第２のファンクラブのメンバーは、コンテンツＰＡ，ＰＢにも興味を持つと推定できる。そこで、両者ファンクラブを合わせた第３のファンクラブを生成することができる。
【０１４０】
この第３のファンクラブは、例えば次のようなケースで有効である。例えばコンテンツＰＡの放送が終了し、コンテンツＰＢの放送が継続している場合がある。コンテンツＰＡに関連する主演者、あるいは作者に興味を持つ視聴者がコンテンツＰＡの放送中に第１のファンクラブに加入できず、主演者あるいは作者が同じのコンテンツＰＢのファンクラブのみに加入する場合がある。ここで、コンテンツＰＡに関する関連情報（雑誌の発行、あるいはイベント開催）が発生した場合、第３のファンクラブのメンバーは、コンテンツＰＡに関する関連情報のサービスを受けることがきる。もし、第３のファンクラブがないとすると、第２のファンクラブのみに所属していたユーザは、コンテンツＰＡに関する関連情報のサービスを受けられないことになる。しかし、第３のファンクラブが生成されることにより、第２のファンクラブのみに所属していたユーザは、コンテンツＰＡに関する関連情報のサービスも受けられることになる。
【０１４１】
なお、上記の共通メンバーの４０％と言う数値はこれに限定されるものではない。このパーセンテージは、任意に設定されてもよい。共通メンバーが存在しない複数のファンクラブであっても、複数のファンクラブを合体した新しいファンクラブを構成してもよい。合体対象となるファンクラブは、それぞれのコンテンツの原作者が同一人物である場合、あるはジャンルが同一である場合、主演者が同一人物である場合、などがある。
【０１４２】
図２４は、各種のコンテンツ媒体の提供元及び又は付随情報と任意の業界（商業形態）のさまざまな事業体の情報（コンテンツ情報）との関連付ける方法の一例を示す。
【０１４３】
コンテンツ媒体提供元５０００、付随情報出力部６０００は、多種多様の業界（商業形態）を含む。それぞれの業界は、任意数の事業体（事業者、個人、特定の個人の集合体、任意団体、非営利団体）を含む。事業体は、例えばテレビ局（キー局）、出版社、物品販売元、企画会社（イベント企画／物品（ステーショナリー／グッズ／タイアップ商品）企画）、広告制作会社、販売店、など、任意であり、同種の業界（同業事業体）、異なる会社（異業事業体）のいずれであっても構わない。
【０１４４】
ユーザ（関連ターゲット、顧客）は、番組を視聴することにより、また、ネットワークを介して通信（ショッピングなど）を行うことにより、各種の業界（事業体）からのコンテンツ媒体の情報のサービスを受けることができる。しかも情報サービス対象となっているコンテンツ媒体は、ユーザが興味を示している媒体である確率が極めて高い。
【０１４５】
結果、上記各種の業界（事業体）は、結果的に極めて効率的な広告・宣伝を保証されていることになる。よって上記業界（事業体）は、それぞれのコンテンツ媒体を販売する際、プロモーション費用を格段と節約できることになる。
【０１４６】
上記した実施形態において、テレビジョン装置１００１における制御部２００の内部ブロック機能、サーバ４００１の制御装置４００３における内部ブロック機能は、ソフトウエアにより実行されてもよいことはもちろんである。
【０１４７】
例えば、事業体１がテレビ局（キー局）であり、事業体２が企画会社（物品企画）、事業体３が広告制作会社、事業体４が出版社、事業体５が企画会社（イベント企画）であるような場合、事業体６が広告主（商品製造販売会社）、などである場合、図３０Ａおよび図３０Ｂに示すようなパックの詳細画面表示を、テレビジョン装置１００１の画面表示として表示できる。
【０１４８】
図２５は、表示配列制御部によるテレビジョン装置の画面表示信号（画面表示出力）におけるさまざまな表示の配列および表示順の設定方法の一例をを示している。
【０１４９】
表示配列制御部２２５は、コンテンツ情報処理部２２５ａ、第１の処理部２２５ｂ、第２の処理部２２５ｃ、第３の処理部２２５ｄ、メモリ２２５ｅ、等を含む。
【０１５０】
コンテンツ情報処理部２２５ａは、コンテンツの情報を読み出し、一時蓄積し、データベース化する。
【０１５１】
第１の処理部２２５ｂは、コンテンツ情報処理部２２５ａからのコンテンツの情報を用いて個々のコンテンツをジャンル別に分類し、画面表示する際の表示順（ジャンル別配列）を設定する。また、第１の処理部２２５ｂは、ジャンルの配列順を決めるために、視聴者の視聴の習慣性の高いジャンルから低いジャンルに関する習慣性順位を設定する。第１の処理部２２５ｂはまた、ジャンルの分類およびジャンルの習慣性順位を、コンテンツ（番組）の識別コードを用いて設定する。
【０１５２】
第２の処理部２２５ｃは、第１の処理部２２５ｂが分類したジャンル別のコンテンツの放送日時に基づいて個々のコンテンツの配列を決定する。つまり、第２の処理部２２５ｃは、ジャンルにおける各コンテンツの放送日時の新しい順から古い順を識別する（即ち、新旧順位配列を実施する）。例えば各コンテンツの放送日時を参照して、放送日時が現在の日時に近い順ものから遠い順を決める。この時の配列も、各コンテンツの識別コードの配列である。
【０１５３】
第３の処理部２２５ｄは、各コンテンツの代表画像（例えばサムネイル）を、上記した配列情報（ジャンル別配列、習慣性順位配列、新旧順位配列）に基づいて配列して、表示部に出力する。第３の処理部２２５ｄはまた、個々のコンテンツを表示器（ディスプレイ）１３４において画面表示する際の配列および表示順を設定し、表示出力部１０５に出力する。メモリ２２５ｅは、個々のコンテンツの代表画像（サムネイル）を保持する。
【０１５４】
コンテンツ情報処理部２２５ａは、より詳細には、ＨＤＤ１１１が保持するさまざまな録画済コンテンツ（番組）の情報（以下コンテンツ情報と称する）を、個々のコンテンツ（番組）と関連付けてデータベース化し、蓄積する。なお、個々のコンテンツのコンテンツ情報は、例えばジャンル、タイトル、放送局名（チャンネル番号）、放送日時、プロデューサ（監督）、原作者、出演者、スポンサー、等の情報を含む。
【０１５５】
上述したように、第１の処理部２２５ｂは、詳細には、コンテンツ情報処理部２２５ａが保持するコンテンツ情報を用いて個々のコンテンツをジャンル別に分類する。また、第１の処理部２２５ｂは、視聴者の視聴の習慣性の高いジャンルから視聴の習慣性の低いジャンルを特定（判定）する。なお、視聴の習慣性は、視聴者の嗜好性を反映するものであり、嗜好性が高いジャンルのコンテンツ（番組）は、視聴する回数あるいは視聴する番組数が多くなる、と考えることができる。従い、視聴回数あるいは視聴する番組数が多いジャンルについて、視聴の習慣性が高い、と判定できる。第１の処理部２２５ｂはこの視聴の習慣性に基づいて特定（判定）したコンテンツの識別コードを分類し、画面表示する際の表示順を設定する。すなわち、第１の処理部２２５ｂは、図２８が示すように、習慣性視聴に基づき、「お勧め（recommend、レコメンド）を提示する」という画面表示において番組を上下方向に表示するための配列の決定に利用可能なコンテンツの配列順序を特定する。
【０１５６】
第２の処理部２２５ｃは、より詳細には、第１の処理部２２５ｂが分類したジャンル別のコンテンツの放送日時に基づいて、ジャンル毎の個々のコンテンツの表示順（配列）を決定する。すなわち、第２の処理部２２５ｃは、図２８が示す習慣性視聴に基づくお勧め画面表示において、番組（番組の代表画像）を（画面）左右方向に表示するための配列の決定に利用可能なコンテンツの配列順序を特定する。なお、画面表示において、個々のジャンルに表示するコンテンツ（番組）の期間は、例えば現在から１週間以上で、好ましくは２週間（１４日）とする。
【０１５７】
このように、表示配列制御部２２５は、視聴者の視聴の習慣性（以下習慣性視聴と称する）に基づいて（視聴者に）お勧めとして提示する番組を、（番組の）ジャンルと視聴者の視聴履歴（習慣性）とに基づいて、２次元（マトリクス）的に、表示するための表示信号を生成し、表示処理部２０５に出力する。
【０１５８】
なお、習慣性視聴は、視聴可能な番組（放送中の番組、録画済の番組、ＶｏＤ（Video on Demand）等のコンテンツ）であって、１週間に１回（１話）放送され、所定回数（話数）で完結する連続番組、あるいは１つのテーマ（カテゴリ）に基づいて複数の回数（話数）の番組が用意されるシリーズ番組（例えば、紀行番組や有名店紹介番組、あるいば１回／週以上の頻度で放送されるバラエティ番組や演芸中継、等）を、視聴履歴に基づいて判定する。
【０１５９】
また、習慣性視聴される番組を判定した番組判定データに基づいてお勧め番組を提示する際には、以下の要因を考慮して、図２８を用いて説明する「お勧め番組（レコメンド）を提示する（“みるコレ”と称する場合もある）」という画面表示を設定する。上記要因としては、以下がある。
【０１６０】
視聴者が番組（コンテンツ）を録画しない、すなわちＨＤＤ１１１が接続されていない場合、「お勧め番組を提示する（みるコレ）」画面表示においては、デモ（デモンストレーション）画面を表示して、ＨＤＤ１１１の接続を促す。また、ＨＤＤ１１１が接続されているが録画番組がない場合、「空欄」を表示するか、「録画された番組がありません」等のメッセージを表示する。
【０１６１】
一方、（視聴）履歴不足など、「お勧め番組を提示する（みるコレ）」画面表示を表示してレコメンド（お勧め）可能な状態にない場合は、ジャンル単位で、シリーズ番組であることが（所定の識別コードにより）識別されている番組のうち、録画済である番組の最新（直近）の番組を表示する、ものとする。
【０１６２】
なお、「お勧め番組を提示する（みるコレ）」画面表示においては、表示配列制御部２２５は、次のような制御に基づき、コンテンツの配列および表示順となるよう、画面表示が特定（設定）されてもよい。
【０１６３】
（１）  ジャンルによって表示する位置を固定しない。すなわち、    
（１−１）  放送開始日時順に［現在（最新／画面左）−過去（古い／画面右）］で表示する。    
（１−２）  表示順（ジャンル）を、視聴履歴の更新（すなわち視聴者が新たに視聴したコンテンツの発生）時のみならず、所定の規則、例えば曜日、等に基づいて変更する。
【０１６４】
また、「お勧め番組を提示する（みるコレ）」画面表示においては、    
レコメンドスコアの上位５番組（シリーズ）を放送開始日時順に表示する    
縦（画面上下）方向は、番組数が多いジャンルを上に表示する    
横（画面左右）方向は、［現在（最新／画面左）−過去（古い／画面右）］）の順に表示する。
【０１６５】
なお、「お勧め番組を提示する（みるコレ）」画面表示は、デジタル（地上デジタル）放送の録画済番組の外に、ＢＳ放送の録画済番組とＣＳ放送の録画済番組も、併せて表示してもよい。
【０１６６】
また、図２６（あるいは図２７）が示す画面表示（（TimeOn／ホーム）画面）において、「いつもの！」の表示領域１０２５から「すべて見る（すべて）」タイル（ボタン）が選択された（リモコンによりフォーカスがあてられ、［決定キー］／［決定にマッピングしたカラーキー］がオンされた）場合、    
（２）  単一ジャンルに絞りこんだ単一種類（ジャンル）のマッシュアップ画面を表示する。    
（２−１ａ）  同一シーズンの同一ジャンル（シリーズ番組であることが（所定の識別コードにより）識別されている）の番組を表示＜シリーズ表示＞する。    
（２−１ｂ）  同一ジャンルのシリーズ番組の番組が複数ある場合、直近の１番組のみを表示＜シリーズ表示＞する。    
（２−２）  （リモコン操作により）フォーカスがあてられ、［決定キー］／［決定コマンドとマッピングした（１対１で対応した）カラーキー］がオンされた）場合、＜シリーズ表示＞されているシリーズ番組のパックを展開して、表示可能な個数（話数）の番組を表示する。
【０１６７】
図２６は、テレビジョン装置の起動時の画面表示（TimeOn（ホーム）画面）の表示例を示す。
【０１６８】
テレビジョン装置１００１の表示画面１０１１は、現在放送中番組（ｃｈ）表示領域１０２１、契約広告（バナー）表示領域１０２２、ショートカット（／ジャンプ）ボタン群１０２３、「気になる！」表示領域１０２４、「いつもの！」表示領域１０２５、「みどころ」表示領域１０２６、「ＳＮＳ」表示領域１０２７、等を表示する。
【０１６９】
ショートカット（／ジャンプ）ボタン群１０２３は、さまざまな機能を実現するためのショートカットボタンや外部サーバが保持するコンテンツを再生するための制御コマンド、等を出力可能なショートカット（／ジャンプ）ボタンを含む。
【０１７０】
「気になる！」表示領域１０２４は、自動録画された番組や情報提供会社がお勧めする番組を紹介する。
【０１７１】
「いつもの！」表示領域１０２５は、習慣性視聴に基づくお勧め（レコメンド）番組を紹介する。
【０１７２】
「みどころ」表示領域１０２６は、情報提供会社（外部コンテンツサーバ）が用意するみどころ情報に基づき、さまざまな番組のみどころを紹介する。
【０１７３】
「ＳＮＳ」表示領域１０２７は、ＳＮＳ（Social Networking Service）における話題の番組、等の情報を表示する。
【０１７４】
「いつもの！」表示領域１０２５は、例えばレコメンドスコアの上位５番組（シリーズ番組）のパック（ファンクラブ）を、放送開始日時順に表示する。
【０１７５】
「いつもの！」表示領域１０２５内の５つのシリーズ番組の任意の１つのパックを選択すると、図２７が示す画面表示１０１２に表示画面が遷移する。画面表示１０１２においては、図２６が示す画面表示１０１１において右側に表示されている「いつもの！」表示領域１０２５が、画面表示１０１１内の左側へ遷移する。また、現在放送中番組（ｃｈ）表示領域１０２１が画面表示１０１１内の右側へ遷移し、選択されたシリーズ（パック）の再生対象となる１つの番組のプレビュー（あるいはサムネイル）画面を表示する。すなわち、「いつもの！」表示領域１０２５は、「いつもの！」表示領域１０２５が表示する任意の１シリーズの番組の１つパックが選択された場合、「いつもの！」表示領域１０２５を常時表示しながら、選択された１つのパックの番組のプレビュー（あるいはサムネイル）画面を表示する。これにより、図２７が示すように、画面表示１０１２は、選択されたシリーズ（パック）の有無や、シリーズ内の番組説明の参照、等にかかわりなく、「いつもの！」表示領域１０２５が画面表示１０１１に、常時表示されることにより、次のシリーズを選択する（選択対象のシリーズを変更する）際に、図２６に示す画面表示に戻る必要が無い、という利便性を提供できる。すなわち、レジューム機能により、通常、最後に表示したページを表示するテレビジョン装置１００１において、「いつもの！」表示領域１０２５を、画面表示１０１１に常時表示することにより、視聴者の利便性を高めることができる。
【０１７６】
図２８は、視聴者の習慣性視聴に基づいてお勧めとして提示する番組を、番組のジャンルと視聴者の視聴履歴（習慣性）とに基づいて、２次元（マトリクス）的に表示する表示の一例である。
【０１７７】
図２８が示す「お勧め番組を提示する（みるコレ）」画面表示は、縦（画面上下）方向において、習慣性視聴番組の数の多い（習慣性視聴番組のスコアが高い）順に、任意数のジャンル表示タイルを含む。図２８が示す画面表示は、表示例として、３つのジャンル表示（タイル）１１２１、１１３１および１１４１を含む表示例である。なお、図２５により説明した通り、習慣性視聴番組の数の多い（習慣性視聴番組のスコアが高い）ジャンルを最上部に表示する（ジャンル表示１１２１）。
【０１７８】
また、図２８が示す「お勧め番組を提示する（みるコレ）」画面表示は、習慣性視聴番組の数に基づいて画面上下方向に配列するそれぞれのジャンルにおいて、横（画面左右）方向に、所定数の番組に対応する番組表示（タイル）１１２２、１１２３、・・・、１１２８を、現在（最新／画面左）−過去（古い／画面右）］の順に表示する。すなわち、図２８が示す「お勧め番組を提示する（みるコレ）」画面表示においては、視聴者が視聴したコンテンツの数が多いジャンルを、同ジャンルを表示する方向と直交（交差）する方向に、任意数のジャンルを表示する。
【０１７９】
なお、習慣性視聴のスコアが最上位ではないジャンルについては、表示する番組表示（タイル）の個数が表示可能な個数よりも少なくなる場合もある。例えば、図２８が示す表示例は、ジャンル１１３１については、表示される番組（タイル）の個数は、１１３２、１１３３、・・・、１１３６（合計５）、ジャンル１１４１については、１１４２、・・・、１１４４（合計３）、を表示した例である。
【０１８０】
図２９は、「みるコレ」画面表示のパック一覧表示の一例を示す。
【０１８１】
図２９が示すパック一覧（「みるコレ」画面）表示１２０１は、現在放送中番組（ｃｈ）表示領域であり、選択されたシリーズ（パック）の再生対象となる１つの番組のプレビュー（あるいはサムネイル）画面１２０２、契約広告（バナー）表示領域１２０３、番組（コンテンツ）内容説明（コメント）領域１２０４、表示切換指示列１２０５、等を含む。
【０１８２】
表示切換指示列１２０５は、例えば「ホーム」画面表示への切換指示入力が可能な指示ボタン表示１２０５ａ、「みるコレ」画面表示への切換指示入力が可能な指示ボタン表示１２０５ｂ、「ツール（設定）」画面表示への切換指示入力が可能な指示ボタン表示１２０５ｃ、等を含む。表示切換指示列１２０５は、選択された任意のボタン表示に対する「≪」と［ボタン名」と「≫」とボタン名への下線、等の付加により、現在選択されているボタンを、表示する。なお、選択されたボタン表示が強調表示され、選択されていない外のボタン表示がグレーダウン表示されてもよい。
【０１８３】
「みるコレ」画面表示のパック一覧においては、個々のパック表示（タイル）は、登録済のパックの表示開始位置を示す「登録済パック表示」タイル（ボタン）１２１１および登録済の任意数のパックを表示する「パック名」タイル（ボタン）１２２１、・・・、１２２ｎ（ｎは正の整数）、パックを追加する際の制御コマンドを指示入力可能な「パック追加表示」タイル（ボタン）１２１２、お勧めパックの表示開始位置を示す「お勧めパック表示」タイル（ボタン）１２１３およびお勧めの対象である任意数のパックを表示する「パック名」タイル（ボタン）１２３１、・・・、１２３ｎ−１（ｎは正の整数）、１２３ｎ（ｎは正の整数）、１２３ｎ＋１（ｎは正の整数）、を含む。
【０１８４】
「登録済パック表示」タイル（ボタン）１２１１は、登録済パックの全てを一覧表示可能な制御コマンドを指示入力可能な「すべて（全て表示）」ボタンおよびパックを追加する際の制御コマンドを指示入力可能な「パック追加表示」ボタンを含む。同様に、「お勧めパック表示」タイル（ボタン）１２１３は、お勧め対象のパックの全てを一覧表示可能な制御コマンドを指示入力可能な「すべて（全て表示）」ボタン及びパックを追加する際の制御コマンドを指示入力可能な「パック追加表示」ボタンを含む。
【０１８５】
なお、任意の登録済パックを表示する［パック名］タイル（ボタン）１２２１、・・・、１２２ｎにおいては、登録済のパックであることを示す識別マーク（もしくは文字列）が同一パック内に表示されることが好ましい。
【０１８６】
また、登録済、未登録を問わず、任意のパックのタイル（ボタン）にフォーカスがあてられることで、番組（コンテンツ）内容説明（コメント）領域１２０４に、内容説明、例えばＥＰＧ情報が含む説明文（テキスト）やパックの属性、等が表示される。
【０１８７】
図３０Ａおよび図３０Ｂは、図２８に一例を示したパックが選択された場合に表示する個々のパックの内容の表示例の一例を示す。
【０１８８】
図３０Ａおよび図３０Ｂが示す画面表示１３０１および１３０２は、図２８が示すパック一覧のうちの「ＡＺさん」のパックを選択した場合の画面表示の一例を示す。
【０１８９】
図３０Ａおよび図３０Ｂが示す画面表示１３０１および１３０２は、表示中のパックのパック名を示す「パック名表示領域」１３１１、表示中のパックの代表画像を示す「代表画像表示領域」１３１２、同パックの（新規）登録の制御コマンドを受けつける「パック登録」ボタン１３１３、登録済みの同パックの登録解除（登録をやめる）の制御コマンドを受けつける「パック解除」ボタン１３１４、番組（コンテンツ）内容説明（コメント）領域１３１５、等を含む。なお、「パック登録」ボタン１３１３および「パック解除」ボタン１３１４の一方は、パックの登録状況に応じて、一方が、操作入力を受けつけない状態に、例えばグレーダウン表示される。すなわち、パックが登録済パックである場合は、「パック登録」ボタン１３１３が、これからパックの登録を促す（お勧めする）パックである場合は、「パック解除」ボタン１３１４が、グレーダウン表示される。
【０１９０】
図３０Ａおよび図３０Ｂが示す画面表示１３０１および１３０２は、例えば録画済番組に関する情報表示タイル（ボタン）１３２１、シーンに関する情報表示タイル（ボタン）１３３１、外部サーバが保持するコンテンツへのアクセスに関する情報表示タイル（ボタン）１３４１、ＳＮＳ（ソーシャルネットワークシステム）表示タイル（ボタン）１３５１、ＶｏＤ（外部配信サービス）に関する情報表示タイル（ボタン）１３６１、物品販売や関連商品やクーポン、イベント会場までの交通手段の情報表示タイル（ボタン）１３７１、等の視聴者の視聴履歴に基づいて所定の条件で絞り込んだ情報に順列を与え、視聴者に提供するためのさまざまなタイル（ボタン）を表示する。
【０１９１】
なお、個々の情報表示タイル（ボタン）に引き続く横方向には、任意数の情報表示タイル（ボタン）が表示される。それぞれのタイル（ボタン）は、最も左側に示す情報表示タイル（ボタン）が示すカテゴリに関連のある番組やコンテンツ毎に、サムネイルや番組解説（文字列）、商品説明（文字列や商品の写真）、等を表示する。また、それぞれのタイル（ボタン）は、それぞれが表示する番組や商品説明へのアクセスが可能な制御コマンドを発行可能である。
【０１９２】
このように、任意のパック１３１１は、そのパックと関連付けられているさまざまなパックについて、テレビジョン装置１００１のブラウジング機能により、サーバ４００１のファンクラブファイル（パック）へのアクセスを、タイル（ボタン）への操作入力（ボタンのオン）により、容易に実現できる。
【０１９３】
なお、図３０Ａが示す画面表示１３０１における「下矢印」ボタン表示１３０１ＤＤは、図３０Ｂが示す画面表示１３０２を表示するための指示入力を入力可能である。また、図３０Ｂが示す画面表示１３０２における「上矢印」ボタン表示１３０１ＵＵは、図３０Ａが示す画面表示１３０１を表示するための指示入力を入力可能である。
【０１９４】
これにより、画面表示１３０１および１３０２は、次の画面表示内の任意のタイルを選択する（選択対象のカテゴリを変更する）際に、戻るボタン、等を操作することなく切り替え可能である。
【０１９５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１９６】
２００・・・制御部、２２５・・・表示配列制御部、１０００Ａ−１０００Ｄ・・・ユーザ端末グループ、１００１・・・デジタルテレビジョン装置、１００２・・・リモートコントローラ、１００３・・・パーソナルコンピュータ、１００４・・・スマートフォン、１００５・・・タブレット、５０００・・・コンテンツ媒体提供元、６０００・・・付随情報出力部。
【図１】
2017004229.tif 000003
【図２】
2017004229.tif 000004
【図３】
2017004229.tif 000005
【図４Ａ】
2017004229.tif 000006
【図４Ｂ】
2017004229.tif 000007
【図５】
2017004229.tif 000008
【図６Ａ】
2017004229.tif 000009
【図６Ｂ】
2017004229.tif 000010
【図６Ｃ】
2017004229.tif 000011
【図６Ｄ】
2017004229.tif 000012
【図６Ｅ】
2017004229.tif 000013
【図７】
2017004229.tif 000014
【図８】
2017004229.tif 000015
【図９】
2017004229.tif 000016
【図１０Ａ】
2017004229.tif 000017
【図１０Ｂ】
2017004229.tif 000018
【図１１Ａ】
2017004229.tif 000019
【図１１Ｂ】
2017004229.tif 000020
【図１２】
2017004229.tif 000021
【図１３】
2017004229.tif 000022
【図１４】
2017004229.tif 000023
【図１５】
2017004229.tif 000024
【図１６】
2017004229.tif 000025
【図１７】
2017004229.tif 000026
【図１８】
2017004229.tif 000027
【図１９Ａ】
2017004229.tif 000028
【図１９Ｂ】
2017004229.tif 000029
【図１９Ｃ】
2017004229.tif 000030
【図１９Ｄ】
2017004229.tif 000031
【図１９Ｅ】
2017004229.tif 000032
【図２０Ａ】
2017004229.tif 000033
【図２０Ｂ】
2017004229.tif 000034
【図２０Ｃ】
2017004229.tif 000035
【図２１】
2017004229.tif 000036
【図２２】
2017004229.tif 000037
【図２３】
2017004229.tif 000038
【図２４】
2017004229.tif 000039
【図２５】
2017004229.tif 000040
【図２６】
2017004229.tif 000041
【図２７】
2017004229.tif 000042
【図２８】
2017004229.tif 000043
【図２９】
2017004229.tif 000044
【図３０Ａ】
2017004229.tif 000045
【図３０Ｂ】
2017004229.tif 000046